(57)【要約】      （修正有）【課題】大量の抽出精製又は分析作業が同時に行なわれ、かつ簡単に脱着できる多孔質カラム管並列モジュールを提供する。【解決手段】多孔質カラム管並列モジュールは、少なくとも一つのトレー１０と、複数の多孔質カラム管２０と、複数の組立構造３０とを備え、トレーには、複数の多孔質カラム管を設けるために複数の穴１３が配置され、複数の組立構造はそれぞれ、トレーと複数の多孔質カラム管の間に配置され、複数の多孔質カラム管を取外可能で、複数の穴内に取り付けるように設けられ、複数の多孔質カラム管は更に、一つの分流装置に接続して、液体を分流器に供給するように、一つの液体供給装置とを備え、液体を前記分流器によって、複数の前記多孔質カラム管に分流させられ、それと同時に、大量の抽出精製又は分析作業するように設けられ、何らかの多孔質カラム管に機能異常があった場合、多孔質カラム管だけを交換すればよく、他の多孔質カラム管の動作に影響を及ぼさない。  【選択図】図２
0003231269.tif 000002
【実用新案登録請求の範囲】
【請求項１】
対向した第一、第二表面と、前記第一、第二表面を貫通した複数の穴とを備えてなる、少なくともの一つのトレーと、
取外可能で、複数の前記穴に取り付けられ、それぞれ、一つの管体と、前記管体内に固定される一つの多孔質構造体とを備えてなる複数の多孔質カラム管と、
それぞれ、前記トレーと複数の前記多孔質カラム管の間に配置される複数の組立構造とを備えてなり、それによって、複数の前記多孔質カラム管を取外可能で、複数の前記穴内に取り付けるように設けられる
ことを特徴とする多孔質カラム管並列モジュール。
【請求項２】
前記組立構造は、少なくともの一つのリング状シートと、少なくともの一つの留め具とを備えてなり、前記管体の外壁面には、前記リング状シートを嵌め込み、固定するために、一つの凹んだ環状溝が設けられ、前記留め具は、前記リング状シートと前記トレーにある前記第一表面の間を締め付けるように設けられる
ことを特徴とする請求項１に記載の多孔質カラム管並列モジュール。
【請求項３】
前記組立構造は、二つのリング状シートと、二つの留め具とを備えてなり、前記リング状シートは、半円形の構造をなしている
ことを特徴とする請求項２に記載の多孔質カラム管並列モジュール。
【請求項４】
前記環状溝は、前記管体の上側の近くに設けられる
ことを特徴とする請求項２に記載の多孔質カラム管並列モジュール。
【請求項５】
前記管体と前記多孔質構造体の間の結合は、加熱、超音波処理、回転式溶接又は接着剤によって実現される
ことを特徴とする請求項１〜４のいずれか１項に記載の多孔質カラム管並列モジュール。
【請求項６】
対向した第一、第二表面と、前記第一、第二表面を貫通した複数の穴とを備えてなる、少なくともの一つのトレーと、
取外可能で、複数の前記穴に取り付けられ、それぞれ、一つの管体と、前記管体内に固定される一つの多孔質構造体とを備えてなる複数の多孔質カラム管と、
それぞれ、前記トレーと複数の前記多孔質カラム管の間に配置される複数の組立構造とを備えてなり、それによって、複数の前記多孔質カラム管を取外可能で、複数の前記穴内に取り付けるように設けられ、
一つの分流器と、複数のバルブと、複数の分流経路とを備えてなる分流装置とを備えてなり、前記分流経路は前記分流器と複数の前記多孔質カラム管の間に、複数の前記バルブはそれぞれ前記分流器と前記分流経路の間に配置され、
前記分流装置に接続して、液体を前記分流器に供給するための液体供給装置と、を備えてなる
ことを特徴とする多孔質カラム管並列モジュール。
【請求項７】
更に、複数の出力流路をそれぞれ、複数の前記多孔質カラム管に接続するための収集桶が設けられる
ことを特徴とする請求項６に記載の多孔質カラム管並列モジュール。
【請求項８】
複数の前記分流経路と複数の前記多孔質カラム管の間には更に第一継手が配置、複数の前記出力流路と複数の前記多孔質カラム管の間には更に第二継手が配置され、前記第一、第二継手は取外可能で、前記管体に取り付けられている
ことを特徴とする請求項７に記載の多孔質カラム管並列モジュール。
【請求項９】
前記管体の上下側環状面には更に、前記第一、第二継手に接続するために、それぞれ、複数のネジ山が配置される
ことを特徴とする請求項８に記載の多孔質カラム管並列モジュール。
【請求項１０】
前記組立構造は、少なくともの一つのリング状シートと、少なくともの一つの留め具とを備えてなり、前記管体の外壁面には、前記リング状シートを嵌め込み、固定するために、一つの凹んだ環状溝が設けられ、前記留め具は、前記リング状シートと前記トレーにある前記第一表面の間を締め付けるように設けられる
ことを特徴とする請求項６〜９のいずれかの１項に記載の多孔質カラム管並列モジュール。
【考案の詳細な説明】
【技術分野】
【０００１】
本考案は、大量の抽出精製又は分析作業が同時に行なわれ、かつ複数の多孔質カラム管が簡単に脱着できる多孔質カラム管並列モジュールに関する。
【背景技術】
【０００２】
高内相エマルジョン鋳型技術（ＨＩＰＥ  Ｔｅｍｐｌａｔｉｎｇ）は新しい多孔質ポリマー材料の製造技術であり、高内相エマルジョンとは、エルマジョンの外相に分散する微細な乳化液滴の内相（分散相）体積分率が７４．０５％を超えるもの、即ち、エルマジョンに占める均質な球状微粒子が最大の空間充填率を超えることをいい、そこで、高内相エマルジョンの外相（連続相）に重合反応が起こってから、内相が除去され、空孔率が高く、空孔が相互連結する高内相エマルジョンポリマー（ｐｏｌｙＨＩＰＥ）が得られること、高内相エマルジョン鋳型技術で得られる多孔質材料は比表面積が大きく、移動相中の物質がポンプによって、多孔質材料内を簡単に高流速かつ低背圧で、通過して輸送されるように設けられ、主に対流による物質輸送によって、小さなタンパク質分子や、大きなウイルス粒子の積載量が流速に影響されずうまく分離され、優れる高効率に抽出精製することを実現し、空孔率が高く、空孔が相互連結するという多孔質材料を利用して、背圧が大幅に低減され、移動相の流速が増加して、分析にかかる時間が削減、分析作業の効率が向上できること。
【０００３】
特許番号ＷＯ２０１５／１３８８５０Ａ１に、流体中の分子を小規模又は大規模に抽出精製するに適用する装置及びその関連方法が公開され、該特許では、大規模に抽出精製する装置に応用され、複数の多孔質構造を並列接続して、更なる大容量に対応するように設けられ、一つの円形筐体内に複数の円筒形多孔質構造が平行して配置され、前記円形筐体の上下側にはそれぞれ、密封カバーが設けられ、前記円形筐体と、密封カバーと複数の円筒形多孔質構造との結合は、加熱、超音波処理、回転式溶接又は接着剤によって実現し、前記構造を密封して、前記円形筐体に固定するように設けられ、該構造では、大量の液体流量を同時に処理することが可能だが、複数の円筒形多孔質構造は、円形筐体と密封カバーとは分けられず、密接に関わるように設けられ、一つの円筒形多孔質構造に機能異常があった場合、円形筐体全体ごとを交換せざるを得ないこととなり、正常に機能する円筒形多孔質構造を含む損失が発生し、コスト増加になること。  
【考案の概要】
【考案が解決しようとする課題】
【０００４】
それに鑑みて、本考案は、多孔質カラム管並列モジュールを提供し、特に大量の抽出精製又は分析作業が同時に行なわれ、かつ簡単に脱着できる多孔質カラム管並列モジュールを提供することを目的とする。
【課題を解決するための手段】
【０００５】
本考案は、対向した第一、第二表面と前記第一、第二表面を貫通した複数の穴とを備えてなる少なくともの一つのトレーと、取外可能で複数の前記穴に取り付けられ、それぞれ一つの管体と前記管体内に固定される一つの多孔質構造体とを備えてなる複数の多孔質カラム管と、それぞれ前記トレーと複数の前記多孔質カラム管の間に配置される複数の組立構造とを備えてなり、それによって、複数の前記多孔質カラム管を取外可能で、複数の前記穴内に取り付けるように設けられることを特徴とする多孔質カラム管並列モジュールである。
【０００６】
本考案では、前記組立構造は、少なくともの一つのリング状シートと、少なくともの一つの留め具とを備えてなり、前記管体の外壁面には、前記リング状シートを嵌め込み、固定するために、一つの凹んだ環状溝が設けられ、前記留め具は、前記リング状シートと前記トレーにある前記第一表面の間を締め付けるように設けられることを特徴とする。
【０００７】
本考案では、前記組立構造は、二つのリング状シートと、二つの留め具とを備えてなり、前記リング状シートは、半円形の構造をなしていることを特徴とする。
【０００８】
本考案では、前記管体と前記多孔質構造体の間の結合は、加熱、超音波処理、回転式溶接又は接着剤によって実現されることを特徴とする。  
【０００９】
本考案では、前記管体の上下側環状面には更に、二つの継手に接続するために、それぞれ、複数のネジ山が配置されることを特徴とする。
【００１０】
本考案では更に、対向した第一、第二表面と、前記第一、第二表面を貫通した複数の穴とを備えてなる少なくともの一つのトレーと、取外可能で複数の前記穴に取り付けられ、それぞれ一つの管体と前記管体内に固定される一つの多孔質構造体とを備えてなる複数の多孔質カラム管と、それぞれ前記トレーと複数の前記多孔質カラム管の間に配置される複数の組立構造とを備えてなり、それによって、複数の前記多孔質カラム管を取外可能で、複数の前記穴内に取り付けるように設けられ、一つの分流器と複数のバルブと、複数の分流経路とを備えてなる分流装置とを備えてなり、前記分流経路は前記分流器と複数の前記多孔質カラム管の間に、複数の前記バルブはそれぞれ前記分流器と前記分流経路の間に配置され、前記分流装置に接続して、液体を前記分流器に供給するための液体供給装置とを備えてなることを特徴とする多孔質カラム管並列モジュールを提供する。
【００１１】
本考案では更に、複数の出力流路をそれぞれ、複数の前記多孔質カラム管に接続するための収集桶が設けられることを特徴とする。
【００１２】
本考案では、複数の前記分流経路と複数の前記多孔質カラム管の間には更に第一継手が配置、複数の前記出力流路と複数の前記多孔質カラム管の間には更に第二継手が配置され、前記第一、第二継手は取外可能で、前記管体に取り付けられていることを特徴とする。
【図面の簡単な説明】
【００１３】
【図１】本考案の多孔柱並列モジュールの構造図である。
【図２】本考案の多孔柱並列モジュールの構造拡大図。
【図３】本考案の多孔質カラム管と組立構造からなる構造に関する立体分解図。
【図４】本考案の多孔質カラム管と組立構造からなる構造に関する立体図。
【図５】本考案のトレーの実施例１の構造図。
【図６】本考案のトレーの実施例２の構造図。
【考案を実施するための形態】
【００１４】
本考案は次のように、、技術特徴、内容及びその長所、達成可能な効果について審査員に理解していただくように、図面を合わせて、実施例を挙げて詳しく説明する。そこに掲示された図面は、イメージを示し、補助的説明のみに用いられ、本考案を実施したときの正確な比例又は位置配置に相当するとは限らないもので、本考案が実際に実施される時の特許請求範囲は、添付された図面の比例又は位置配置によって、制限されないものとすることをここで述べておく。  
【００１５】
図１は本考案の多孔柱並列モジュールの実施例１の構造図、図２は本考案の多孔柱並列モジュールの構造拡大図を示す。  本考案の多孔質カラム管並列モジュール１は、少なくともの一つのトレー１０と、複数の多孔質カラム管２０と、複数の組立構造３０と、一つの分流装置４０と、一つの液体供給装置５０とを備えてなる。
【００１６】
前記トレー１０は、対向した第一、第二表面１１、１２と、前記第一、第二表面１１、１２を貫通した複数の穴１３とを備えてなり、前記トレー１０は剛性材料で作られた、プリセット強度を有してなり、ステンレス材料で作られたのがよい。  
【００１７】
複数の前記多孔質カラム管２０は取外可能で、前記複数の穴１３内に取り付けられ、それぞれ、一つの管体２１と、前記管体２１内に固定される一つの多孔質構造体２２とを備えてなり、前記管体２１は剛性材料で作られた、プリセット強度を有してなり、ステンレス材料で作られたのがよく、かつ、前記穴１３より深く、前記多孔質構造体２２より高く設けられる。前記多孔質構造体２２は、例えば、高内相エマルジョン鋳型技術（ＨＩＰＥ  Ｔｅｍｐｌａｔｉｎｇ）で作られ、円筒形に設けられるが、前記管体２１と前記多孔質構造体２２間の結合は、加熱、超音波処理、回転式溶接又は接着剤によって実現され、前記多孔質構造体２２を前記管体２１内に固定するように設けられる。
【００１８】
複数の組立構造３０はそれぞれ、前記トレー１０と複数の前記多孔質カラム管２０の間に配置され、それにより、複数の前記多孔質カラム管２０を取外可能で、前記複数の穴１３内に取り付けるように設けられる。図３と図４に示すように、前記組立構造３０は、少なくともの一つのリング状シート３１と、少なくともの一つの留め具３２とを備えてなり、図に示す実施例では、前記組立構造３０は、二つのリング状シート３１と、二つの留め具３２とを備えてなり、前記リング状シート３１は、半円形の構造をなしてなり、前記管体２１の外壁面には、一つの凹んだ環状溝１４が設けられ、前記環状溝１４は、前記管体２１の上側の近くに配置され、前記外壁面に凹んだ、一つの円形溝に設けられ、それによって、前記リング状シートを、嵌め込ませ、固定させるようにし、前記リング状シート３１の部分を、前記環状溝１４内に嵌め込んで固定し、他の部分を前記管体２１の外壁面に突き出し、前記留め具３２は、前記リング状シート３１と前記トレー１０にある前記第一表面１１との間を締め付けるように設けられること、図に示す実施例では、前記管体２１の外壁面から突き出された前記リング状シート３１の部分は、前記第一表面１１に重なるように設けられ、それによって、複数の前記多孔質カラム管２０の上側が前記第一表面１１から突き出され、前記リング状シート３１と前記第一表面１１とが重なったところには、少なくともの一つのネジ穴３３が設けられ、それによって、前記留め具３２を締付け固定し、前記多孔質カラム管２０を前記トレー１０に固定するように設けられる。
【００１９】
前記分流装置４０は、一つの分流器４１と、複数のバルブ４２と、複数の分流経路４３とを備えてなり、前記分流経路４３は、前記分流器４１と前記複数の多孔質カラム管２０の間に、前記複数のバルブ４２はそれぞれ前記分流器４１と前記分流経路４３の間に配置され、複数の前記分流経路４３と複数の前記多孔質カラム管２０の間には更に第一継手６１が設けられ、前記第一継手６１は取外可能で、前記管体２１に取り付けられる。図２に示すように、前記管体２１の上下側環状面には更に、複数のネジ山２３が配置され、前記上側環状面の複数のネジ山２３は、前記第一継手６１を締め付け、固定するように設けられる。
【００２０】
前記液体供給装置５０は、前記分流装置４０に接続して、液体を前記分流器４１に供給するように配置され、更に、前記分流器４１に接続して、液体流量を調節するための一つの動力ユニット５１（例えばポンプ）が設けられ、複数の前記分流経路４３は、仕様（長さ／管径）が同じに設けられ、分流器４１で均等に分配された液体が、複数の分流経路４３を経て、それぞれの多孔質カラム管２０に流入された流量を均一に配分して、前記多孔質構造体２２の受ける液体の圧力を均一にするように設けられる。多孔質構造体２２の受ける圧力は、動力ユニット５１から供給される流量（例えば、増加又は減少）により、その変化量（例えば、増加又は減少）に応じて変わる。
【００２１】
更に、複数の出力流路６３をそれぞれ、前記第二表面１２にある複数の前記多孔質カラム管２０に接続するための収集桶６２が設けられ、複数の前記出力流路６３と複数の前記多孔質カラム管２０の間には更に第二継手６４が配置され、前記第二継手６４は、前記管体２１の下側環状面にある複数のネジ山２３で締め付け固定され、取外可能で、前記管体２１に取り付けられている。なお、複数の出力流路６３と前記収集桶６２にはそれぞれ、複数のバルブ６５が設けられる。
【００２２】
正常に動作しているとき、制動力ユニット５１で、液体流量を調整し、前記液体供給装置５０で、調節された流量に応じて、液体を前記分流器４１に流れ込ませるが、分流器４１で均等に配分された液体が、複数の分流経路４３を経て、それぞれの多孔質カラム管２０に流入された流量を均等に配分され、前記多孔質構造体２２の受ける液体の圧力を配分するように設けられている。本考案では、大量の抽出精製又は分析作業が同時に行なわれ、抽出精製又は分析にかかる時間が削減、抽出精製又は分析作業の効率が向上するように設けられ、何らかの多孔質カラム管に機能異常があった場合、前記多孔質カラム管２０だけを交換すればよい。交換の時、前記多孔質カラム管２０に取り付けられている前記バルブ４２、６５だけをオフにし、その割合に応じて、動力ユニット５１で液体流量を下げ、圧力値を本来の数値に保つようにし、それから、組立構造と、第一、第二継手６１、６４とを外すことによって、前記多孔質カラム管２０を前記トレー１０から外し、新しい多孔質カラム管２０に交換して、それを固定するように設けられ、そこで、他の多孔質カラム管の動作に影響を及ぼさないこと。
【００２３】
前記トレー１０は、ユーザのニーズに応じて、種々の形、例えば、図５に示す四方形トレー１０、図６に示す円形形トレー１０のように設けられ、そして、ユーザのニーズに応じて、前記トレー１０には、穴１３数が異なるように設けられ、例えば、図５に示す四方形トレー１０には最大、１６つの多孔質カラム管２０を収める１６つの穴１３、図６に示す円形トレー１０には最大、１９つの多孔質カラム管２０を収める１９つの穴１３が設けられる。
【００２４】
上述した内容をまとめると、本考案では、実施可能かつ好適な多孔質カラム管並列モジュールを提供し、法により、実用新案登録を出願するわけである。本考案の技術内容又は技術特徴は上述のように掲示されており、当該技術分野が分かる者は、本考案の掲示に基づき、本考案の要旨を逸脱しない範囲で、種々の置き換えや変更を行なうことができるものであることから、本考案の請求範囲は、実施形態に掲示された内容に制限されることなく、本考案の要旨を逸脱せず行なわれた種々の置き換え又は変更も、同様に含まれるものとする。
【符号の説明】
【００２５】
多孔質カラム管並列モジュール  １
トレー  １０
第二表面  １１
第二表面  １２
穴  １３
環状溝  １４
多孔質カラム管  ２０
管体  ２１
多孔質構造体  ２２
ネジ山  ２３
組立構造  ３０
リング状シート  ３１
留め具  ３２
ネジ穴  ３３
分流装置  ４０
分流器  ４１
バルブ  ４２
分流経路  ４３
液体供給装置  ５０
動力ユニット  ５１
第一継手  ６１
収集桶  ６２
出力流路  ６３
第二継手  ６４
バルブ  ６５
【図１】
0003231269.tif 000003
【図２】
0003231269.tif 000004
【図３】
0003231269.tif 000005
【図４】
0003231269.tif 000006
【図５】
0003231269.tif 000007
【図６】
0003231269.tif 000008